(57)【要約】【目的】可及的小型のクランプ盤によりコストを掛けずに伝播音に起因するディスクの振動を抑制して音飛びの無い良質な再生を実現する。【構成】ディスクＤの一面（情報記録面ｄ１）側で該ディスクの中心部を支持するターンテーブル２と、このターンテーブル２を回転駆動させるためのモータ１と、ディスクＤの情報記録面ｄ１に対して光を照射すると共にディスクＤからの反射光を受光するピックアップ４と、ターンテーブル２に対向して該ターンテーブルとの間でディスクＤを挟み込むクランプ盤５とを具備したディスクドライブ装置である。クランプ盤５には、ディスクＤの中心から半径１５〜２０ｍｍの環状領域内でのみ該ディスクの非記録面ｄ２側を押圧する凸部９を一体成形し、これによって伝播音に起因する６００〜８００ＨｚのディスクＤの振動を抑制する。【選択図】図１
2006073070.tif 000002
【特許請求の範囲】
【請求項１】
ディスクの一面側を該ディスクの中心部で支持するターンテーブルと、このターンテーブルを回転させるためのモータと、前記ターンテーブルに対向して前記ディスクの他面側から該ディスクを前記ターンテーブルとの間で挟み込むクランプ盤とを具備し、前記ディスクに対して情報を記録又は再生するディスクドライブ装置において、
前記クランプ盤における前記回転の中心から半径１５〜２０ｍｍの環状領域内に凸部を設け、該凸部で前記ディスクの前記他面側を押圧する構成にしたことを特徴とするディスクドライブ装置。
【発明の詳細な説明】
【技術分野】
【０００１】
本発明はＣＤやＤＶＤといった円盤状情報記録媒体（ディスク）の記録／再生駆動を行うディスクドライブ装置に係わり、特にスピーカからの伝播音によるディスクの振動を抑制し、ディスクの振動に起因するフォーカスサーボエラーを防止できるようにしたディスクドライブ装置に関する。
【背景技術】
【０００２】
従来、ディスクドライブ装置として、ＣＤプレーヤ、ＤＶＤプレーヤ、ＤＶＤレコーダなどが知られ、一般に広く賞用されている。その種の装置は、ディスクの情報記録面側で該ディスクの中心部を支持するターンテーブルと、このターンテーブルを回転駆動させるためのモータと、ディスクの情報記録面に対して光を照射すると共にディスクからの反射光を受光するピックアップと、ターンテーブルに対向して該ターンテーブルとの間でディスクを挟み込むクランプ盤とを具備して構成されるが、係る装置を用いてディスクの再生駆動を行った場合、スピーカからの伝播音（空気振動）によりディスクが共振し、これに起因してフォーカスサーボ制御が不能となって音飛びを惹起することがあった。
【０００３】
そこで、ディスク基板の厚さをｔ［ｍｍ］、ディスク基板の中心部を保持するクランプの外径をｄｃ［ｍｍ］として、０．０６４ｄｃ／２−０．５８≦ｔ≦０．０６４ｄｃ／２−０．２２に設定するという提案がされている（例えば、特許文献１）。
【０００４】
しかし、クランプ（クランプ盤）の外径に対応してディスクの厚さを変えることは生産効率上難しく、しかもクランプ盤の外径は機種によって区々であるから所定厚に設定されたディスクでもこれを駆動する装置の種類によりディスクの振動に起因してサーボエラーを発生する。
【０００５】
一方、クランプ盤（クランパ）に第１のリング状部と第２のリング状部を設け、７００〜８００Ｈｚ付近の周波数によってディスクに発生する２次振動モードにおける振動の第１の腹部分（ディスクの中心から半径３０〜４０ｍｍの部分）を第１のリング状部で押えると共に、第２の腹部分（ディスクの周縁部分）を第２のリング状部により押えるようにした装置も提案されている（例えば、特許文献２）。
【０００６】
【特許文献１】特開２００１−３４４７４２号公報
【特許文献２】特許第２５５０８５０号公報
【発明の開示】
【発明が解決しようとする課題】
【０００７】
然しながら、ＣＤやＤＶＤといったディスクにはリードインエリアと呼ばれる読取開始部分を筆頭にして直径４６ｍｍの領域から信号が記録される関係上、係る情報記録面側でディスクの中心部を支持するターンテーブルの直径はピックアップの進入領域を考慮して直径４０ｍｍ以下に設定されるので、特許文献２における第１、第２のリング状部はターンテーブルの周縁から外れた位置でディスクの非記録面（情報記録面とはピックアックから照射光が入射される側で、非記録面はその反対側である）を押圧することになる。
【０００８】
このため、ディスクが第１、第２のリング状部による押圧力を受けてターンテーブル側（情報記録面側）に反って傘状に湾曲し、その周縁が装置の筺体やピックアップに接触したり、ピックアップによる信号の読み取りが適正に行われなくなる虞がある。
【０００９】
又、特許文献２のようにディスクの周縁を押圧する第２のリング状部をもつような大型のクランプ盤では材料コストが嵩む上、装置の小型化が困難になるという問題がある。
【００１０】
尚、ディスクの振動を抑制するためにクランプ盤の裏面にこれと別体のフェルトを貼付し、そのフェルトをディスクの中心孔の周囲に接触させることも一般に広く行われているが、係るフェルトは高価である上、その貼付工程を必要として生産性が悪化するという問題があり、しかもフェルトの貼付によっても伝播音に起因するディスクの振動を抑えきれずに音飛びを発生することがあった。
【００１１】
本発明は以上のような事情に鑑みて成されたものであり、その目的は可及的小型のクランプ盤によりコストを掛けずに伝播音に起因するディスクの振動を抑制してその再生駆動を良好に行うことのできるディスクドライブ装置を提供することにある。
【課題を解決するための手段】
【００１２】
本発明は上記目的を達成するため、ディスクＤの一面ｄ１側を該ディスクの中心部で支持するターンテーブル２と、このターンテーブル２を回転させるためのモータ１と、ターンテーブル２に対向してディスクＤの他面ｄ２側から該ディスクをターンテーブル２との間で挟み込むクランプ盤５とを具備し、ディスクＤに対して情報を記録又は再生するディスクドライブ装置において、クランプ盤５における前記回転の中心から半径１５〜２０ｍｍの環状領域内に凸部９を設け、該凸部９でディスクＤの他面ｄ２側を押圧する構成にしたことを特徴とする。
【発明の効果】
【００１３】
本発明によれば、クランプ盤に設けた凸部でディスクの中心から半径１５〜２０ｍｍの環状領域内でのみ該ディスクの片面（非記録面）を押圧することにより、伝播音による６００〜８００Ｈｚのディスクの振動を抑制して音飛びの無い良質な再生が可能となる。
【００１４】
又、凸部はディスクの中心から半径１５〜２０ｍｍの環状領域内でのみ該ディスクの片面（非記録面）を押圧することから、ターンテーブルとクランプ盤で挟まれるディスクが凸部による押圧力でターンテーブル側（情報記録面側）に湾曲することがなく、しかも凸部をもつクランプ盤をターンテーブルと同程度の大きさにして低コスト化を図ることができる。
【００１５】
更に、凸部がクランプ盤に一体成形されることから、フェルトを貼付するものに比べ、その貼付工程を無くしてクランプ盤や装置全体を効率的に生産することができる。
【発明を実施するための最良の形態】
【００１６】
以下、本発明を図面に基づいて詳しく説明する。図１は係るディスクドライブ装置を示す要部断面図である。図１において、Ｄはミニディスクなどとは異なり、カートリッジケースで覆われないコンパクトディスクなどの円盤状情報記録媒体であるディスク（直径１２０ｍｍ）であり、その中心には公知のように位置決め用の中心孔ｈ（直径１５ｍｍ）が設けられる。そして、本発明に係るディスクドライブ装置はディスクＤに対して音楽情報などを記録したり、その記録情報を再生するのに用いられる。
【００１７】
１は係るディスクドライブ装置を構成するＤＣモータなどから成る変速（スピンドルサーボ）制御が可能なモータ、２はそのモータにより回転駆動される円盤状のターンテーブルであり、このターンテーブル２はモータ１の駆動軸に固定したハブ３の周縁より突出される。ハブ３はディスクＤの中心孔ｈに嵌め込まれ、ターンテーブル２は中心孔ｈの周囲でディスクＤの一面（情報記録面ｄ１）側を支持する。因みに、ターンテーブル２のディスクＤを保持する面は、ディスクＤのリードインエリア（中心から半径２３〜２５ｍｍの位置にある読取開始領域）より小さく、その直径は２６〜３３ｍｍに設定される。又、本発明でいうディスクの情報記録面ｄ１側とはピックアップ４から信号読み取り用の光が照射される面側を指し、その反対側を非記録面ｄ２側とする。
【００１８】
そして、係るディスクＤは情報記録面ｄ１側で中心部をターンテーブル２で支持された後、ターンテーブル２と該ターンテーブルに対向するクランプ盤５とで中心部を挟み込まれ、その状態でモータ１が起動されることにより、ディスクＤ、ターンテーブル２、及びクランプ盤５が一体として一方向に回転駆動されることになる。
【００１９】
尚、ディスクＤの回転中にはピックアップ４がトラッキングサーボ制御を行いながらディスクＤの半径方向に移動（スレッドサーボ）されると共に、フォーカスサーボ制御によりピックアップ４からディスクＤの情報記録面ｄ１に光（レーザ光）が焦点の合う状態で照射され、ディスクＤからの反射光をピックアップ４で受光することにより記録情報の読み取りが行われる。
【００２０】
ここに、クランプ盤５はターンテーブル２の軸線上に配される円盤状の部材で、その中心部にはハブ３の先端部を覆うボス部６が形成され、ボス部６の外周にはマグネット７が配される。８はマグネット７の磁力線を磁性体から成るターンテーブル２側に集めるヨーク板で、これによる集束磁力によりターンテーブル２上のディスクＤがクランプ盤５に適度の押圧力で押し付けられる構成とされる。
【００２１】
特に、クランプ盤５にはターンテーブル２に対向する面側でディスクＤの非記録面ｄ２側を押圧する凸部９が形成され、その凸部９によりディスクＤの空転が防止されるようになっている。
【００２２】
又、係る凸部９はディスクＤの振動を抑制する働きをする。つまり、ディスクＤを再生駆動した場合、スピーカの出力により空気振動が起こり、その空気振動（伝播音）によりディスクＤが共振を起こすが、上記の凸部９は伝播音に起因するディスクＤの振動を抑制して、ピックアップ４によるフォーカスサーボ制御が適正に行われるようにする働きをする。
【００２３】
図２、図３は係る凸部を形成したクランプ盤の底面図である。特に、図２は凸部９を偏平な小円柱形（直径約３ｍｍ、高さ約１ｍｍ）とした例であり、係る凸部９はクランプ盤５の中心からＲ１（１５ｍｍ）〜Ｒ２（２０ｍｍ）の範囲内で複数個（本例において８つ）がクランプ盤５の周方向に等間隔に形成される。
【００２４】
一方、図３は凸部９を環状とした例であり、これは所定の幅（本例において５ｍｍ）を有してクランプ盤５の中心から半径Ｒ１（１５ｍｍ）〜Ｒ２（２０ｍｍ）の範囲内でクランプ盤５の周方向に連続して形成される。
【００２５】
尚、クランプ盤５はディスクＤと同心状態でディスクＤをクランプするので、図２及び図３の凸部９は何れもディスクＤの中心から半径１５〜２０ｍｍの環状領域内でのみ該ディスクの非記録面ｄ２側を押圧することになる。
【００２６】
ここに、図４はディスクの振動特性を示すグラフ、図５はディスクの押え位置による６００〜８００Ｈｚの振動抑制効果を示すグラフである。
【００２７】
図４のように、ディスクの共振周波数は６００〜１０００Ｈｚ（特に、６００〜８００Ｈｚ）の帯域にあり、フォーカスサーボ特性は周波数が高くなるに連れてゲインが減少するため、音飛びの発生が防止されるような適正なフォーカスサーボ制御を行うためには６００〜８００Ｈｚの振動を抑制する必要がある。
【００２８】
そこで、直径１２０ｍｍのディスクを用いて実験を重ねた結果、図５のように半径１５〜４５ｍｍ、若しくは半径５５ｍｍ以上の範囲内でディスクの非記録面を押えることにより、６００〜８００Ｈｚの帯域におけるディスクの振動レベルが−２０ｄＢ以下となり、音飛びを発生しないことが判明した。
【００２９】
尚、６００〜８００Ｈｚにおけるディスクの振動抑制効果を高めるには半径３０ｍｍ付近を押えることが最も有効であるが、これではクランプ盤が大型化し、コスト高を招いたり、ディスクがクランプ盤による押圧力で情報記録面側に傘状に湾曲するなどの新たな問題を惹起する。
【００３０】
そこで、本発明は音飛びを防止することのできる最小半径領域の１５〜２０ｍｍをディスクの押え位置として定め、図２又は図３のような凸部９をもつクランプ盤５を備えたディスクドライブ装置を開発するに至った。
【００３１】
これによれば、クランプ盤５の直径がターンテーブル２と同等の４０ｍｍで足り、このため材料費が抑えられ、しかも凸部９はターンテーブル２の周縁部上でディスクＤの非記録面ｄ２を押圧するのでディスクＤが情報記録面ｄ１側に傘状に湾曲してピックアップ４などに接触する虞がなく、更に凸部９は主として樹脂製とされるクランプ盤５に一体成形されるので係るクランプ盤５を低コストで効率よく生産することが可能となる。
【００３２】
図６は、図２のような小円柱形の凸部９をもつクランプ盤５を用いた場合のディスクの振動低減効果を示すグラフである。この図から明らかなように、本発明に係るクランプ盤５を用いたディスクドライブ装置によれば、６００〜８００Ｈｚにおけるディスクの振動が抑制されていることが判る。尚、図６において、９００Ｈｚ付近に現れる振動のピークは−２０ｄＢ以下であるため音飛びを発生するような問題にはならない。
【００３３】
以上、本発明について説明したが、係るディスクドライブ装置はＣＤプレーヤなどの再生専用機に限らず、再生記録機能を有するＤＶＤレコーダなどにも適用できる。
【００３４】
又、ターンテーブル２は図１のような断面形状のものに限らず、その片側全面でディスクを保持する態様でもよい。更に、ターンテーブルとクランプ盤の位置関係は上記例の逆でもよい。一方、凸部９は図２、図３に限らず、図３のハッチングの範囲内であればよい。
【図面の簡単な説明】
【００３５】
【図１】本発明に係るディスクドライブ装置の主要部を示す断面図
【図２】同装置のクランプ盤を示す底面図
【図３】クランプ盤の変更例を示す底面図
【図４】ディスクの振動特性（直径４０ｍｍの平板状樹脂板でディスク中心部をクランプした状態）を示すグラフ
【図５】ディスクの押え位置による６００〜８００Ｈｚの振動抑制効果を示すグラフ
【図６】本発明によるディスクの振動抑制効果を示すグラフ
【符号の説明】
【００３６】
１  モータ
２  ターンテーブル
４  ピックアップ
５  クランプ盤
９  凸部
Ｄ  ディスク
ｄ１  情報記録面
ｄ２  非記録面
【図１】
2006073070.tif 000003
【図２】
2006073070.tif 000004
【図３】
2006073070.tif 000005
【図４】
2006073070.tif 000006
【図５】
2006073070.tif 000007
【図６】
2006073070.tif 000008